(57)【要約】【課題】  Ｃ折り設定時にも同系列の用紙が混在している印刷データに対して、用紙ごとの縮小率を変えることなく、レイアウトすることを可能とする。【解決手段】  Ｃ折り実行時に用紙を３分割した各面に対して、印刷データをレイアウトする場合、Ａ４とＡ３など、同系列で面積比が１対２である用紙同士が混在する印刷データを、上記３分割した各面にレイアウトする。【選択図】  図１
2010020691.tif 000002
【特許請求の範囲】
【請求項１】
印刷データを受信し、その印刷データに基づいて印刷動作を行なう印刷手段と、該印刷手段に接続され、印刷された用紙を３つ折りにするＣ折り手段と、ホストコンピュータにインストールされ前記印刷データを作成するプリンタドライバとで構成される印刷システムにおいて、
印刷面を３等分し、且つＣ折りの形状を考慮して、折りたたまれた用紙を見開いた状態の内側から優先して印刷するレイアウトロジックをもったプリンタドライバを有し、
前記プリンタドライバはＡ４用紙とＡ３用紙が混在する印刷データを、用紙を３分割した各面にレイアウトする際に、前記３分割した用紙面のひとつにＡ４用紙を縦方向に、前記３分割した用紙面のふたつにＡ３用紙を横方向に配置することで、Ａ４用紙とＡ３用紙とで同じ縮小率でレイアウトすることを特徴とする印刷システム。
【請求項２】
前記３分割した用紙面に対し、３分の２面を使用するＡ３用紙に対し、既に２面を使用して残りが１面である場合には、物理用紙の次の面の始めにレイアウトすることを特徴とする請求項１に記載の印刷システム。
【請求項３】
Ａ４用紙とＡ３用紙が混在する印刷データに対し、Ａ系列、またはＢ系列の出力する用紙が同じ縦横比の用紙にのみ印刷可能とすることを特徴とする請求項１又は請求項２に記載の印刷システム。
【発明の詳細な説明】
【技術分野】
【０００１】
図１に示すように、印字データを受信し、その受信した印字データに基づいて印刷処理を行なう印刷装置１０１と、前記プリンタが接続されているネットワーク上のホストコンピュータ１００にインストールされ前記印字データを作成するプリンタドライバとを有する印刷システムに関する。
【背景技術】
【０００２】
従来、用紙を折りたたんで排紙する機能では、図２−１に示すような製本印刷と、図２−２に示すようなＺ折りがあった。ただし、折りたたんだ用紙の形状に対して印刷面をレイアウトするのは、図２−３に示すような製本印刷時だけであり、Ｚ折り時は単に用紙を折りたたむだけで、特にＺ折り特有の面つけは行なっていない。
【０００３】
また、図３−１のフローチャートで示すように、面つけソフトウェアはあらゆる印刷物に対する面つけを行なっているが、それはアプリケーションから取得した全ページをその面つけソフトが面つけし、その面つけされたページを（Ｃ折りで言えば３ページを縮小して１ページに配し）プリンタドライバに「１ページとして」出力するため、プリンタドライバへは単に片面印刷、または両面印刷が指定されるだけである。
【０００４】
上記の例として、下記特許文献１をあげることが出来る。
【特許文献１】特開２００４−２３５７２０号公報
【発明の開示】
【発明が解決しようとする課題】
【０００５】
現状のプリンタドライバではＣ折りに対してもＺ折りと同様に特にＣ折り特有の面つけ処理は行なっていなかった。
【課題を解決するための手段】
【０００６】
用紙１枚を３分割して折りたたむＣ折り特有の面つけ処理をプリンタドライバで行なう。また折りたたみ方法に応じて画像を回転させたり、不必要な面に対してはページをとばしたりなどの処理も行なう。
【０００７】
図３−１のフローチャートで示された面つけソフトとの違いを図３−２のフローチャートで示す。Ｃ折り設定も含め、プリンタドライバで各種の設定を行い、それらの設定を総合した上でプリンタドライバが面つけを行なう。
【０００８】
なお、Ｃ折り時の基本的な面つけに関しては既に別の提案書にて提案済みであるため、本発明では、市販のワープロソフトに代表されるように、ひとつの文書の中で用紙サイズを変更することができるため、このようなケースに対して、物理ページに対して各ページを縮小してレイアウトを可能とする。
【発明の効果】
【０００９】
本発明により、Ｃ折り設定時にも同系列の用紙が混在している印刷データに対して、用紙ごとの縮小率を変えることなく、レイアウトすることが可能となる。
【発明を実施するための最良の形態】
【００１０】
次に、本発明の詳細を実施例の記述に従って説明する。
【実施例１】
【００１１】
まずＣ折り機能の概要を説明する。本発明は１枚の用紙を３等分したＣ折りに関する発明であり、図４は用紙が折られる過程を図示したものである。
【００１２】
（２）から（３）  まず左側の面（以降、本提案書の中で「面」と呼ぶのは上記のように用紙を３等分した１面を意味する）を用紙中央の面に合わせるように折りたたむ。
【００１３】
（３）から（４）  次に同様に右の面も用紙中央の面（この時点では左の面も合わさっている）に重なるように折りたたむ。
【００１４】
（５）は（４）の矢印の方向から折りたたまれた用紙を見た図である。
【００１５】
通常、Ｃ折りはこのようにして用紙をＣの字型に折りたたみ、例えばビラや配布資料などをコンパクトにまとめるために利用される。
【００１６】
図５−１にプリンタドライバでのＣ折りの設定画面の表示例を表す。円内のチェックボックスが選択された（チェックマークが入れられた）場合、図５−２で示す表示例のように、「印刷方法」に「Ｃ折りパンフレット印刷」というような項目を表示させ、以下で説明するＣ折り特有のレイアウト（面つけ）を指定する。図５−３はそのＣ折り特有の面つけの詳細を指定するボタンである。また、図６はレイアウトイメージを列挙した表である。「優先面」とは、Ｃ折りを行なう際、折りたたまれる用紙の内側を優先に印刷するか、外側を優先に印刷するかを表す。
【００１７】
「面つけ」は、まず右隣のチェックボックスが選択（チェック）されていなければ、その更に右隣のプルダウンは非表示になり、単純に印刷される用紙をＣ折りするだけである。「面つけ」が選択（チェック）された場合、更に選択可能な項目として「３面つけ」の場合は「見開き優先」と「ページめくり優先」を選べ、「見開き全面」の場合は「ページとばし」機能のＯｎ／Ｏｆｆを選択できる。
【００１８】
「３面つけ」とは、一部の従来のプリンタドライバでも対応しているが、用紙１ページに対して印刷データの３ページ分を並べて配する印刷方法である。「見開き優先」はＣ折りされた用紙を完全に開いた状態にして印刷面が見られることを優先としたレイアウト方法である。一方、「ページめくり優先」は、Ｃ折りの１面１面を順番に開きながら見られることを優先としたレイアウト方法である。詳細は図６を参照のこと。
【００１９】
「見開き全面」とは、Ｃ折りされた用紙を上記「見開き優先」で説明したのと同様に、完全に見開いた内側の印刷面だけは「３面つけ」を行なわず、印刷データ１ページを用紙１ページに配し、外側だけを「３面つけ」するレイアウト方法である。「ページとばし」機能とは、この「見開き全面」の時、折りたたまれた状態では死角になる面（詳細は図６を参照のこと）には印刷しないレイアウト方法である。
【００２０】
Ｃ折りに関する機能を実行するフローを表すフローチャートを図７−１から図７−３に示し、以下のその動作を説明する。
【００２１】
まず図７−１で、プリンタドライバのプロパティシートが表示され、ステップ１０１（図ではＳ１０１と表示。以降同様）でユーザが「Ｃ折り」を選択（チェック）しなければステップ１０２として従来通りの印刷を行なう。ユーザが「Ｃ折り」を選択（チェック）すれば、次にステップ１０３では「印刷方法」で「Ｃ折りパンフレット印刷」が選ばれているかどうかを確認する。この時「印刷方法」で「Ｃ折りパンフレット印刷」以外が選ばれていれば、フィニッシャー側でＣ折りを実施するだけで、プリンタドライバはＣ折りに関する処理は全く行なわないものとする。
【００２２】
次に「印刷方法」で「Ｃ折りパンフレット印刷」が選ばれている場合、ステップ１０３では併せて「Ｃ折り詳細」ボタンで表示される詳細設定から、以下のように処理フローが変わる。
【００２３】
（１）「面つけ」にチェックが入っていない場合
（２）「面つけ」にチェックが入っており、且つ「３面つけ」のどちらかが選ばれた場合
（３）「面つけ」にチェックが入っており、且つ「見開き全面」のどちらかが選ばれた場合
図７−１のフローチャートでは（１）の場合を併せて説明しているが、ステップ１０４では「印刷面」で「両面印刷」が選択されているかどうかを確認し、「片面印刷」が選択されていればステップ１０５で片面＋Ｃ折り印刷を実行する。図６の表でも表しているように、この組み合わせではＣ折りの内側に印刷される。ステップ１０４で両面印刷が選択されていれば、次に「優先面」の設定を確認し、「内側優先」であればステップ１０８でＣ折り＋両面内側優先印刷を実行し、「外側優先」であればステップ１０７でＣ折り＋両面外側優先印刷を実行する。なお、Ｃ折り実行時は内側から先に印刷するコントローラ、またはフィニッシャーの動作として説明しているが、このケースであるとステップ１０７では外側を先に、内側を後に印刷するため、該プリンタドライバで裏表の描画を逆にするか、あるいは裏表の描画を逆にするコマンドをプリンタコントローラに出力することでも良い。
【００２４】
また、「面つけ」が選択（チェック）されておらず、かつ「優先面」が「内側優先」である場合の印刷動作は、図５−３の「印刷方法」で「Ｃ折りパンフレット印刷」が選択されず、「片面印刷」、または「両面印刷」が選択された場合の動作と基本的には同じになる。
【００２５】
では次に（２）の場合を図７−２のフローチャートを用いて説明する。
【００２６】
（２）は「面つけ」設定で「３面つけ−見開き優先」、または「３面つけ−ページめくり優先」のいずれかが指定されている場合であるが、ステップ１０９では「印刷面」で「両面印刷」が選ばれているかどうか確認する。「片面印刷」が選択されていればステップ１１０でＣ折り＋３面つけ＋（内側）片面印刷を実行する。また、「両面印刷」が選ばれていれば、次にステップ１１１で「３面つけ」のどちらの設定が選ばれているかを確認し、併せてステップ１１２で「優先面」の設定も確認する。「内側優先」が選ばれていれば、ステップ１１４Ｃ折り＋３面つけ−見開き優先＋内側印刷、またはＣ折り＋３面つけ−ページめくり優先＋内側印刷のどちらかを設定に合わせて実行する。ステップ１１２で「外側優先」が選ばれていれば、ステップ１１３でＣ折り＋３面つけ−見開き優先＋外側印刷、またはＣ折り＋３面つけ−ページめくり優先＋外側印刷のどちらかを設定に合わせて実行する。
【００２７】
印刷例は、図６の表を参照のこと。
【００２８】
最後に（３）の場合を図７−３のフローチャートを用いて説明する。
【００２９】
（３）は「面つけ」設定で「見開き全面−ページ飛ばしＯＮ」、または「見開き全面−ページ飛ばしＯＦＦ」のいずれかが指定されている場合であるが、ステップ１１５では「見開き全面−ページとばしＯＮ」が選択されているかどうかを確認する。「〜ＯＮ」の場合は次にステップ１１６でページとばし処理を実行することを記憶しておき、次にステップ１１７で「優先面」に「内側優先」が選択されているかどうかを確認する。「内側優先」が選択されていればＣ折り＋内側優先＋見開き全面−ページ飛ばしＯＮ、またはＣ折り＋内側優先＋見開き全面−ページ飛ばしＯＦＦのいずれかを前記記憶していたページとばし処理の設定に従って印刷する。また、「外側優先」が選択されていればＣ折り＋外側優先＋見開き全面−ページ飛ばしＯＮ、またはＣ折り＋外側優先＋見開き全面−ページ飛ばしＯＦＦのいずれかを前記記憶していたページとばし処理の設定に従って印刷する。
【００３０】
印刷例は、図６の表を参照のこと。
【００３１】
それでは、図８−１に本発明を表すドライバのＵＩを示す。プリンタドライバ４４の円内のチェックボックスを選択状態に設定すると、図８−２のように一部の表示を切り換え、サイズや向きが異なる用紙サイズを組み合わせること（以降では「用紙混載」と呼ぶ）を可能とする。図８−２の表示例では、同じＡ系列、またはＢ系列の用紙を使用し、小さいサイズの用紙を基本に用紙混載のレイアウトを行なうことを表す。図９に（３−Ｕｐ面付け）+（見開き優先）+（内側優先）の時、Ａ４とＡ３の用紙混載の例を表す。本発明のポイントとして、図９のＡ４、Ａ４、Ａ３、Ａ４（上から３番目）やＡ４、Ａ４、Ａ３、Ａ４（上から４番目）などのように、３分の１面にレイアウトできない場合は次の用紙面にレイアウトすることである。
【００３２】
Ａ４用紙とＡ３用紙は図１０で示すような寸法として定義されているが、この定義は縦：横の長さ比が√２：１、またＡ４とＡ３の面積比が１：２となるようになっている。この結果、Ａ４の横の長さの２倍はＡ３の縦の長さと同じであることから、図１０の５２で示すように同じ縮尺で１枚の用紙にＡ４は縦、Ａ３を横に配置することが可能である。図９はこれを簡略化して表現しているものである。
【００３３】
図８−２の「用紙の組み合わせ」を「A4/A3」で表現しているのは、Ａ４とＡ３の用紙混載の場合は、Ａ４用紙にレイアウトすることであるが、このほかに「A3/A4」の設定を用意し、Ａ４とＡ３の用紙混載の場合は、Ａ３用紙にレイアウトすることとする。
【００３４】
なお、上記はＡ４とＡ３の用紙混載で説明したが、同じ長さ比、面積比であるＢ５とＢ４でも適応可能である。
【図面の簡単な説明】
【００３５】
【図１】印刷システム全体図
【図２】２−１は製本印刷綴じ例、２−２はＺ折り印刷例、２−３は製本印刷ページレイアウト例
【図３】３−１は面つけソフトによるＣ折り実行例、３−２はプリンタドライバによるＣ折り実行例
【図４】Ｃ折り概要図
【図５】５−１はＣ折り対応のプリンタドライバ表示例１、５−２はＣ折り対応のプリンタドライバ表示例２、５−３はＣ折り対応のプリンタドライバ表示例３
【図６】Ｃ折り印刷パターン表
【図７】７−１はＣ折りを表すメインフローチャート、７−２はＣ折りを表すサブフローチャート１、７−３はＣ折りを表すサブフローチャート２
【図８】８−１は用紙混載を表すプリンタドライバの表示例、８−２は用紙混載設定時のプリンタドライバの表示例
【図９】用紙混載設定時の印刷例
【図１０】定型用紙の説明図
【符号の説明】
【００３６】
２０  製本印刷時の用紙束
２１  Ｚ折り印刷後の用紙の形状
４０、４１、４２  プリンタドライバの「仕上げ」シート
４４  プリンタドライバの用紙混載設定画面１
４５  プリンタドライバの用紙混載設定画面２
１００  ホストコンピュータ
１０１  印刷装置
１０２  ネットワーク
１０４  画像印字部
１０５  エンジン制御部
【図１】
2010020691.tif 000003
【図２】
2010020691.tif 000004
【図３】
2010020691.tif 000005
【図４】
2010020691.tif 000006
【図５】
2010020691.tif 000007
【図６】
2010020691.tif 000008
【図７】
2010020691.tif 000009
【図８】
2010020691.tif 000010
【図９】
2010020691.tif 000011
【図１０】
2010020691.tif 000012